(57)【要約】【課題】正当な所有者が使用する携帯電話機の機能の一部または全部をこの所有者以外の者が制御する。【解決手段】サーバ装置は、携帯電話機に予め設定されたＩＭＥＩに関する情報と、携帯電話機の制限対象期間に関する情報と、携帯電話機の制限対象期間内に実施される携帯電話機の起動または動作の制限内容に関する情報とから一意に決定される制限キーを所定のアルゴリズムに従って生成する。携帯電話機は、制限キーから所定のアルゴリズムの逆工程のアルゴリズムに従ってＩＭＥＩに関する情報と、制限対象期間に関する情報と、制限内容に関する情報とを抽出する。抽出されたＩＭＥＩが自己のＩＭＥＩと一致するときには、制限対象期間に関する情報および制限内容に関する情報に基づき自己の起動または動作を制限する。【選択図】図２
2009201030.tif 000002
【特許請求の範囲】
【請求項１】
携帯電話機に予め設定されたＩＭＥＩ(International Mobil
Equipment Identity)に関する情報と、前記携帯電話機の制限対象期間に関する情報と、前記携帯電話機の前記制限対象期間内に実施される前記携帯電話機の起動または動作の制限内容に関する情報とから一意に決定される制限キーを所定のアルゴリズムに従って生成する手段を備えたことを特徴とするサーバ装置。
【請求項２】
請求項１記載のサーバ装置により生成された前記制限キーが適用される携帯電話機であって、
前記制限キーから前記所定のアルゴリズムの逆工程のアルゴリズムに従って前記ＩＭＥＩに関する情報と、前記制限対象期間に関する情報と、前記制限内容に関する情報とを抽出する手段と、
この抽出する手段により抽出された前記ＩＭＥＩが自己のＩＭＥＩと一致するときには、前記制限対象期間に関する情報および前記制限内容に関する情報に基づき自己の起動または動作を制限する手段と
を備えたことを特徴とする携帯電話機。
【請求項３】
前記制限キーが記録された外部メモリを収容する手段を備えた請求項２記載の携帯電話機。
【請求項４】
請求項１記載のサーバ装置との間で通信を行う通信手段と、
携帯電話機に予め設定されたＩＭＥＩに関する情報と、前記携帯電話機の制限対象期間に関する情報と、前記携帯電話機の前記制限対象期間内に実施される前記携帯電話機の起動または動作の制限内容に関する情報とを入力する入力手段と、
この入力手段により入力された前記情報を、前記通信手段を介して前記サーバ装置に転送する転送手段と、
前記通信手段を介して前記サーバ装置から受け取った前記制限キーを外部メモリに書き込む書込手段と
を備えたことを特徴とする制限キー作成端末。
【請求項５】
請求項１記載のサーバ装置と、このサーバ装置との間で通信を行う請求項４記載の制限キー作成端末と、請求項２または３記載の携帯電話機とを備えたことを特徴とする携帯電話サービス提供システム。
【請求項６】
サーバ装置が、携帯電話機に予め設定されたＩＭＥＩに関する情報と、前記携帯電話機の制限対象期間に関する情報と、前記携帯電話機の前記制限対象期間内に実施される前記携帯電話機の起動または動作の制限内容に関する情報とから一意に決定される制限キーを所定のアルゴリズムに従って生成し、
前記制限キーが適用される携帯電話機が、
前記制限キーから前記所定のアルゴリズムの逆工程のアルゴリズムに従って前記ＩＭＥＩに関する情報と、前記制限対象期間に関する情報と、前記制限内容に関する情報とを抽出し、
抽出された前記ＩＭＥＩが前記携帯電話機のＩＭＥＩと一致するときには、前記制限対象期間に関する情報および前記制限内容に関する情報に基づき前記携帯電話機の起動または動作を制限する
ことを特徴とする携帯電話機の起動または動作を制限するための制御方法。
【請求項７】
前記制限キーは、当該制限キーが記録された外部メモリによって前記サーバ装置から前記携帯電話機に伝達される請求項６記載の携帯電話機の起動または動作を制限するための制御方法。
【請求項８】
制限キー作成端末の通信手段が、前記サーバ装置との間で通信を行い、
前記制限キー作成端末の入力手段が、携帯電話機に予め設定されたＩＭＥＩに関する情報と、前記携帯電話機の制限対象期間に関する情報と、前記携帯電話機の前記制限対象期間内に実施される前記携帯電話機の起動または動作の制限内容に関する情報とを入力し、
前記制限キー作成端末の転送手段が、前記入力手段により入力された前記情報を、前記通信手段を介して前記サーバ装置に転送し、
前記制限キー作成端末の書込手段が、前記通信手段を介して前記サーバ装置から受け取った前記制限キーを外部メモリに書き込む
請求項６または７記載の携帯電話機の起動または動作を制限するための制御方法。
【請求項９】
情報処理装置にインストールすることにより、その情報処理装置に、
携帯電話機に予め設定されたＩＭＥＩに関する情報と、前記携帯電話機の制限対象期間に関する情報と、前記携帯電話機の前記制限対象期間内に実施される前記携帯電話機の起動または動作の制限内容に関する情報とから一意に決定される制限キーを所定のアルゴリズムに従って生成する機能を備えたサーバ装置の機能を実現する
ことを特徴とするプログラム。
【請求項１０】
情報処理装置にインストールすることにより、その情報処理装置に、
請求項１記載のサーバ装置により生成された前記制限キーが適用される携帯電話機が備える機能であって、
前記制限キーから前記所定のアルゴリズムの逆工程のアルゴリズムに従って前記ＩＭＥＩに関する情報と、前記制限対象期間に関する情報と、前記制限内容に関する情報とを抽出する機能と、
この抽出する機能により抽出された前記ＩＭＥＩが自己のＩＭＥＩと一致するときには、前記制限対象期間に関する情報および前記制限内容に関する情報に基づき前記携帯電話機の起動または動作を制限する機能と
を実現する
ことを特徴とするプログラム。
【請求項１１】
前記制限キーが記録された外部メモリの読出しまたは書込みを制御する機能を実現する請求項１０記載のプログラム。
【請求項１２】
情報処理装置にインストールすることにより、その情報処理装置に、
請求項１記載のサーバ装置との間で通信を行う通信機能と、
携帯電話機に予め設定されたＩＭＥＩに関する情報と、前記携帯電話機の制限対象期間に関する情報と、前記携帯電話機の前記制限対象期間内に実施される前記携帯電話機の起動または動作の制限内容に関する情報とを入力する入力機能と、
この入力機能により入力された前記情報を、前記通信機能を介して前記サーバ装置に転送する転送機能と、
前記通信機能を介して前記サーバ装置から受け取った前記制限キーを外部メモリに書き込む書込機能と
を実現する
ことを特徴とするプログラム。
【発明の詳細な説明】
【技術分野】
【０００１】
本発明は、携帯電話機およびその制御方法および携帯電話サービス提供システムおよびプログラムに関する。
【背景技術】
【０００２】
携帯電話機の多機能化に伴い、携帯電話機を紛失したり盗難されたりした際の不正使用による被害も拡大している。そこで、携帯電話機の不正使用を回避するために、様々な提案が行われている。
【０００３】
例えば、特許文献１では、携帯電話機を遠隔操作によってロックする技術が開示されている。また、特許文献２では、ＩＭＥＩ(International Mobil Equipment Identity)が書き込まれたメモリの乗せ替えによるなりすましを回避する技術が開示されている。また、特許文献３では、公開鍵および秘密鍵を用いて携帯電話機を認証する技術が開示されている。また、特許文献４では、サーバ装置が携帯電話機を認証することにより、携帯電話機内部を解析しても不正使用を困難とする技術が開示されている。この他にもＰＩＮ(Personal
Identity Number)番号の入力や、指紋などの生体認証を用いて携帯電話機の不正使用を回避する技術が知られている。
【０００４】
【特許文献１】特開２００６−２２２７２８号公報
【特許文献２】特開２００６−２７０２０９号公報
【特許文献３】特開２００７−２７４１０１号公報
【特許文献４】特開２００７−２８１８６１号公報
【発明の開示】
【発明が解決しようとする課題】
【０００５】
上述した技術は、全て正当な所有者ではない者による携帯電話機の不正使用を回避するための技術である。したがって、正当な所有者による携帯電話機の使用に関しては、これを所有者以外の者が制限することを想定した技術は提案されていない。
【０００６】
例えば、“携帯電話・移動体端末向けの1セグメント部分受信サービス（通称ワンセグ受信サービス）”を受信可能な携帯電話機において、一部の所有者の携帯電話機についてはこの受信機能の使用を許可し、他の所有者には不許可とするといったサービスを実施することはできなかった。
【０００７】
仮に、このようなサービスが実施可能であれば、サービス提供者は、同一機種を複数ユーザに配布しておき、そのユーザの中で、サービスの提供を許可するユーザと許可しないユーザとを差別化することが可能となる。
【０００８】
これによれば、サービス提供者側では、少数の機種のみを大量に用意しておけばよいため、機種のコストを安価にできる、または、在庫管理を容易にできる、などの利点が生じる。あるいは、携帯電話機を新規に購入したユーザには、試用期間として携帯電話機購入後の所定期間（例えば１週間）のみサービスの提供を許可するといった新たなサービス形態も実現可能となる。
【０００９】
本発明は、このような課題を解決するために行われたものであって、正当な所有者が使用する携帯電話機の機能の一部または全部をこの所有者以外の者が制御することができる携帯電話機およびその制御方法および携帯電話サービス提供システムおよびプログラムを提供することを目的とする。
【課題を解決するための手段】
【００１０】
本発明の第一の観点は、サーバ装置である。本発明のサーバ装置は、携帯電話機に予め設定されたＩＭＥＩに関する情報と、前記携帯電話機の制限対象期間に関する情報と、前記携帯電話機の前記制限対象期間内に実施される前記携帯電話機の起動または動作の制限内容に関する情報とから一意に決定される制限キーを所定のアルゴリズムに従って生成する手段を備える。
【００１１】
本発明の第二の観点は、本発明のサーバ装置により生成された前記制限キーが適用される携帯電話機である。本発明の携帯電話機は、前記制限キーから前記所定のアルゴリズムの逆工程のアルゴリズムに従って前記ＩＭＥＩに関する情報と、前記制限対象期間に関する情報と、前記制限内容に関する情報とを抽出する手段を備える。さらに、本発明の携帯電話機は、前記抽出する手段により抽出された前記ＩＭＥＩが自己のＩＭＥＩと一致するときには、前記制限対象期間に関する情報および前記制限内容に関する情報に基づき自己の起動または動作を制限する手段を備える。
【００１２】
本発明の第三の観点は、本発明のサーバ装置と通信を行い、制限キーを作成する制限キー作成端末である。本発明の制限キー作成端末は、本発明のサーバ装置との間で通信を行う通信手段と、携帯電話機に予め設定されたＩＭＥＩに関する情報と、前記携帯電話機の制限対象期間に関する情報と、前記携帯電話機の前記制限対象期間内に実施される前記携帯電話機の起動または動作の制限内容に関する情報とを入力する入力手段と、この入力手段により入力された前記情報を、前記通信手段を介して前記サーバ装置に転送する転送手段と、前記通信手段を介して前記サーバ装置から受け取った前記制限キーを外部メモリに書き込む書込手段とを備えたことを特徴とする。
【００１３】
本発明の第四の観点は、本発明のサーバ装置と、このサーバ装置と通信を行う本発明の制限キー作成端末と、本発明の携帯電話機とを備えたことを特徴とする携帯電話サービス提供システムである。
【００１４】
本発明の第五の観点は、携帯電話機の起動または動作を制限するための制御方法である。本発明の制御方法は、サーバ装置が、携帯電話機に予め設定されたＩＭＥＩに関する情報と、前記携帯電話機の制限対象期間に関する情報と、前記携帯電話機の前記制限対象期間内に実施される前記携帯電話機の起動または動作の制限内容に関する情報とから一意に決定される制限キーを所定のアルゴリズムに従って生成する。そして、前記制限キーが適用される携帯電話機が、前記制限キーから前記所定のアルゴリズムの逆工程のアルゴリズムに従って前記ＩＭＥＩに関する情報と、前記制限対象期間に関する情報と、前記制限内容に関する情報とを抽出する。さらに、この携帯電話機は、抽出された前記ＩＭＥＩが前記携帯電話機のＩＭＥＩと一致するときには、前記制限対象期間に関する情報および前記制限内容に関する情報に基づきこの携帯電話機の起動または動作を制限する。
【００１５】
本発明の第六の観点はプログラムである。本発明のプログラムは、情報処理装置にインストールすることにより、その情報処理装置に、携帯電話機に予め設定されたＩＭＥＩに関する情報と、前記携帯電話機の制限対象期間に関する情報と、前記携帯電話機の前記制限対象期間内に実施される前記携帯電話機の起動または動作の制限内容に関する情報とから一意に決定される制限キーを所定のアルゴリズムに従って生成する機能を備えたサーバ装置の機能を実現する。
【００１６】
また、本発明のプログラムは、情報処理装置にインストールすることにより、その情報処理装置に、本発明のサーバ装置により生成された前記制限キーが適用される携帯電話機が備える機能を実現させるプログラムである。この機能として、前記制限キーから前記所定のアルゴリズムの逆工程のアルゴリズムに従って前記ＩＭＥＩに関する情報と、前記制限対象期間に関する情報と、前記制限内容に関する情報とを抽出する機能と、前記抽出する機能により抽出された前記ＩＭＥＩが自己のＩＭＥＩと一致するときには、前記制限対象期間に関する情報および前記制限内容に関する情報に基づき前記携帯電話機の起動または動作を制限する機能とを実現する。
【００１７】
また、本発明のプログラムは、情報処理装置にインストールすることにより、その情報処理装置に、制限キー作成端末の機能を実現させるプログラムである。この機能として、本発明のサーバ装置との間で通信を行う通信機能と、携帯電話機に予め設定されたＩＭＥＩに関する情報と、前記携帯電話機の制限対象期間に関する情報と、前記携帯電話機の前記制限対象期間内に実施される前記携帯電話機の起動または動作の制限内容に関する情報とを入力する入力機能と、この入力機能により入力された前記情報を、前記通信機能を介して前記サーバ装置に転送する転送機能と、前記通信機能を介して前記サーバ装置から受け取った前記制限キーを外部メモリに書き込む書込機能とを実現する。
【発明の効果】
【００１８】
本発明によれば、正当な所有者が使用する携帯電話機の機能の一部または全部をこの所有者以外の者が制御することができる。
【発明を実施するための最良の形態】
【００１９】
本発明の実施形態における携帯電話機１およびサーバ装置３を図１から図８を参照して説明する。図１は、本発明の実施形態の携帯電話機１のブロック構成図である。図２は、本発明の実施形態のサーバ装置３のブロック構成図である。
【００２０】
（概要の説明）
本発明の実施形態では、制限キー２０を記録した外部メモリ２を、制限の対象である携帯電話機１に挿入して使用することで、携帯電話機１の起動または動作の一部そのものを制限することができる。すなわち、図１において、起動・動作制限制御部１１は、外部メモリ２から読み込んだ制限キー２０と、携帯電話機１が本来持つＩＭＥＩとを用いて、携帯電話機１の電源の起動または動作の一部を制限する機能を持つ。
【００２１】
サーバ装置３は、制限対象の携帯電話機１のＩＭＥＩと、制限を行う期間に関する情報と、制限する動作の内容に関する情報とを記録し、事前に定められたアルゴリズムＡに従い、ＩＭＥＩと、制限を行う期間に関する情報と、制限内容に関する情報とから生成される制限キー２０を作成する機能を持つ。外部メモリ２は、サーバ装置３が生成した制限キー２０を記録し、携帯電話機１の起動・動作制限制御部１１からの要求でそれらを提供する機能を持つ。
【００２２】
（構成の説明）
本発明の実施形態の携帯電話機１およびサーバ装置３の構成を図１および図２を参照して説明する。携帯電話機１は、制限キー２０から所定のアルゴリズムＡの逆工程のアルゴリズムに従ってＩＭＥＩに関する情報と、制限対象期間に関する情報と、制限内容に関する情報とを抽出する手段であるアルゴリズムＡ逆操作実行部１２を備える。
【００２３】
さらに、アルゴリズムＡ逆操作実行部１２により抽出されたＩＭＥＩが自己のＩＭＥＩと一致するときには、制限対象期間に関する情報および制限内容に関する情報に基づき自己の起動または動作を制限する手段である起動・動作制限制御部１１を備える。なお、ＩＭＥＩは、ＩＭＥＩ保持部１０に記録されている。
【００２４】
また、制限キー２０が記録された外部メモリ２を収容する手段を備える。例えば、外部メモリ２はメモリカードであり、収容する手段はカードスロットである。
【００２５】
また、ＩＭＥＩ／日時比較部１３および日時データ抽出部１４を備える。ＩＭＥＩ／日時比較部１３は、アルゴリズムＡ逆操作実行部１２により抽出されたＩＭＥＩおよび制限対象期間に関する情報と、ＩＭＥＩ保持部１０に記録されているＩＭＥＩおよび日時データ抽出部１４から抽出された現在の日時データとを比較する。
【００２６】
日時データ抽出部１４は、外部からの報知情報から日時データを抽出する。外部からの報知情報とは、例えば、携帯電話機１の基地局から送信される情報やＧＰＳ(Global Positioning System)衛星からの情報である。これらの情報には精度の高い日時データが含まれている。
【００２７】
また、サーバ装置３は、図２に示すように、携帯電話機１に予め設定されたＩＭＥＩに関する情報と、携帯電話機１の制限対象期間に関する情報と、携帯電話機１の制限対象期間内に実施される携帯電話機１の起動または動作の制限内容に関する情報とから一意に決定される制限キー２０を所定のアルゴリズムＡに従って生成する手段であるアルゴリズムＡ実行部２０を備える。アルゴリズムＡは、アルゴリズムＡ実行部３０内部に保管され、そのアルゴリズム自体は外部に公開されることが無いように秘匿されている。
【００２８】
制限対象となる携帯電話機１のＩＭＥＩに関する情報と、携帯電話機１の制限対象期間に関する情報と、携帯電話機１の制限対象期間内に実施される携帯電話機１の起動または動作の制限内容に関する情報とは、サーバ装置３の操作者によって必要に応じて更新することができる。これにより、制限の対象となる携帯電話機１およびその制限対象期間およびその制限内容を任意に設定することができる。
【００２９】
サーバ装置３によって生成された制限キー２０は、当該制限キー２０が記録された外部メモリ２によってサーバ装置３から携帯電話機１に伝達される。
【００３０】
次に、本発明の実施形態の携帯電話サービス提供システムの一例を図３を参照して説明する。図３は、本発明の実施形態の携帯電話サービス提供システムの構成例を示す図である。本発明の実施形態の携帯電話サービス提供システムは、図３に示すように、サーバ装置３０が携帯電話サービス提供会社側に設けられている。このサーバ装置３０には、販売店側に設けられている複数の制限キー作成端末４０が接続されている。
【００３１】
このような携帯電話サービス提供システムにおいては、サーバ装置３の操作者は、携帯電話サービス提供会社側で、サーバ装置３を直接操作する操作者だけではなく、販売店側から制限キー作成端末４０を介してサーバ装置３を遠隔操作する操作者も含まれる。すなわち、販売店側の販売員もサーバ装置３の操作者である。
【００３２】
販売店の販売員は、ユーザとの契約内容に応じ、制限対象携帯電話機ＩＭＥＩおよびその制限対象期間およびその制限内容に関する情報をサーバ装置３に送信する。サーバ装置３は、制限キー作成端末４０からこれらの情報を受け取ると、アルゴリズムＡ実行部３０においてアルゴリズムＡを実行し、制限キー２０を生成し、これを制限キー作成端末４０に送信する。制限キー作成端末４０は、サーバ装置３０から制限キー２０を受け取ると、これを外部メモリ２に書き込む。販売員は、制限キー２０が書き込まれた外部メモリ２を、携帯電話機１と共にユーザに引き渡す。ユーザは、携帯電話機１に外部メモリ２を挿入することにより、所望する携帯電話サービスの提供を受けることができる。
【００３３】
制限キー作成端末４０の構成を図４を参照して説明する。図４は、制限キー作成端末４０のブロック構成図である。制限キー作成端末４０は、図４に示すように、サーバ装置３との間で通信を行う通信部４３と、携帯電話機１に予め設定されたＩＭＥＩに関する情報と、携帯電話機１の制限対象期間に関する情報と、携帯電話機１の制限対象期間内に実施される携帯電話機１の起動または動作の制限内容に関する情報とを入力する入力部４４と、この入力部４４により入力されたこれらの情報を、通信部４３を介してサーバ装置３に転送する情報転送部４１と、通信部４３を介してサーバ装置３から受け取った制限キー２０を外部メモリ２に書き込む外部メモリ書込部４２とを備える。
【００３４】
次に、アルゴリズムＡおよびアルゴリズムＡの逆操作について図５および図６を参照して説明する。図５は、アルゴリズムＡの一例を示す図である。図６は、アルゴリズムＡの逆操作の一例を示す図である。
【００３５】
サーバ装置３のアルゴリズムＡ実行部３０は、図５に示すように、集約化ステップにより、制限対象となる携帯電話機１のＩＭＥＩ(xxxxxx/xx/xxxxx/x)と、その制限対象期間に関する情報（ｔ０−ｔ１，ｔ０−ｔ２）と、その制限内容に関する情報（♯１、♯２）とを集約する。集約結果は、例えば、（xxxxxx/xx/xxxxx/x；ｔ０−ｔ１，ｔ０−ｔ２；♯１，♯２）となる。続いて、暗号化ステップにより、この集約結果を暗号化して制限キー２０とする。
【００３６】
携帯電話機１のアルゴリズムＡ逆操作実行部１２は、図６に示すように、復号化ステップにより、暗号化されている制限キー２０を復号化する。復号化された結果は、（xxxxxx/xx/xxxxx/x；ｔ０−ｔ１，ｔ０−ｔ２；♯１，♯２）となる。続いて、分離化ステップにより、この復号化された結果を、制限対象となる携帯電話機１のＩＭＥＩ(xxxxxx/xx/xxxxx/x)と、その制限対象期間に関する情報（ｔ０−ｔ１，ｔ０−ｔ２）と、その制限内容に関する情報（♯１、♯２）とに分離する。
【００３７】
この例では、アルゴリズムＡは、集約化ステップと暗号化ステップとを有するアルゴリズムである。その他にも様々なアルゴリズムを、アルゴリズムＡとして用いることができる。
【００３８】
次に、携帯電話機１の起動・動作制限制御部１１の処理手順を図７を参照して説明する。図７は、起動・動作制限制御部１の処理手順を示すフローチャートである。起動・動作制限制御部１１は、外部メモリ２内に記録されているデータを検索し（ステップＳ１）、その中に制限キー２０が有れば（ステップＳ２のＹｅｓ）、アルゴリズム逆操作実行部１２により、アルゴリズムＡの逆操作を実行する（ステップＳ３）。これにより、起動・動作制限制御部１１は、ＩＭＥＩ、制限対象期間、制限内容に関する情報を抽出し（ステップＳ４）、これらの情報に基づく制御を実行する（ステップＳ５）。
【００３９】
なお、外部メモリ２内に記録されているデータを検索し（ステップＳ１）、その中に制限キー２０が無い場合には（ステップＳ２のＮｏ）、所定の制限を実行する（ステップＳ６）。
【００４０】
この所定の制限とは、例えば、携帯電話機１を全く起動させないという条件である。これは、制限キー２０が有ることが携帯電話機１を利用するための最低条件である場合である。あるいは、携帯電話機１の一部の機能を無効にするという条件である。これは、制限キー２０が有ることが携帯電話機１の一部の機能を利用するための条件である場合である。例えば、携帯電話機１による通話またはメールなどの基本的な機能は有効とするが、ワンセグ受信などの付加的な機能は無効にするといった条件である。
【００４１】
次に、起動・動作制限制御部１１における制御例を図８を参照して説明する。図８は、起動・動作制限制御部１１における制御例を説明するための図である。図８の例では、制限機能♯３は、携帯電話機１の基本的機能であり、外部メモリ２内に制限キー２０が無いときには、制限機能♯３を含めた全ての機能が制限される。これに対し、外部メモリ２内に制限キー２０が有るときには、制限機能♯３については時刻に関係無く制限を受けない。図８は、外部メモリ２内に制限キー２０が有る場合の例であり、制限機能♯３については時刻に関係無く制限を受けていない。
【００４２】
制限機能♯１は、携帯電話機１の特定コンテンツ受信機能であり、図８の例では、時刻ｔ０から時刻ｔ１までの時間のみ利用可能な機能である。また、制限機能♯２は、携帯電話機１のワンセグ受信機能であり、図８の例では、時刻ｔ０から時刻ｔ２までの時間のみ利用可能な機能である。
【００４３】
例えば、ワンセグ受信サービスに新規に加入しようとするユーザの携帯電話機１（ＩＭＥＩ＝(xxxxxx/xx/xxxxx/x)）に対し、特定コンテンツ受信機能（制限機能♯１）を時刻ｔ０から時刻ｔ１まで利用可能とする。さらに、ワンセグ受信機能（制限機能♯２）を時刻ｔ０から時刻ｔ２まで利用可能とする。ここで、特定コンテンツとは、例えば、本来は有料配信されている映画である。これにより、ワンセグ受信サービスに加入しようとするユーザは、時刻ｔ０から時刻ｔ１までの時間において、本来は有料配信されている映画を無料で観ることができる。
【００４４】
時刻ｔ１が過ぎると、制限機能♯１は利用不可となり、このユーザは、本来は有料配信されている映画を無料で観ることはできなくなる。しかしながら、このユーザは、時刻ｔ０から時刻ｔ１までの時間で、ワンセグ受信サービスの内容を体験することができた。
【００４５】
また、このユーザは、時刻ｔ１が過ぎても無料配信されているコンテンツについては、ワンセグ受信機能が利用可能な時刻ｔ２までは観ることができる。これにより、このユーザは、ワンセグ受信サービスの内容をさらに体験して確認することができる。
【００４６】
このようにして、ユーザに対し、ワンセグ受信サービスへの勧誘を有効に行うことができる。
【００４７】
（プログラムの実施形態）
情報処理装置にインストールすることにより、その情報処理装置に、本実施形態の携帯電話機１およびサーバ装置３および制限キー作成端末４０に相応する機能を実現させるプログラムの実施形態を説明する。
【００４８】
本実施形態のプログラムは記録媒体に記録されることにより、情報処理装置は、この記録媒体を用いて本実施形態のプログラムをインストールすることができる。あるいは、本実施形態のプログラムを保持するサーバからネットワークを介して直接情報処理装置に本実施形態のプログラムをインストールすることもできる。
【００４９】
なお、本実施形態のプログラムは、情報処理装置によって直接実行可能なものだけでなく、ハードディスクなどにインストールすることによって実行可能となるものも含む。また、圧縮されたり、暗号化されたりしたものも含む。なお、情報処理装置とは、例えば、汎用のＣＰＵ(Central Processing Unit)やマイクロ・コンピュータ装置である。
【００５０】
（プログラムの実施形態の効果の説明）
これにより、本実施形態のプログラムと情報処理装置とを用いて、本実施形態の携帯電話機１における起動・動作制限制御部１１の機能およびサーバ装置３のアルゴリズムＡ実行部３０の機能および制限キー作成端末４０における入力部４１の入力制御機能、情報転送部４１の機能、通信部４３の通信制御機能、外部メモリ書込部４２の書込制御機能を実現することができる。
【００５１】
（効果の説明）
本発明の実施形態のシステムによれば、以下に示すような効果を奏する。
【００５２】
第一の効果は、外部メモリ２内の制限キー２０が存在しない場合には、携帯電話機１の起動または動作の一部を制限しているので、携帯電話機１の使用には外部メモリ２の挿入を必須とすることで、携帯電話機１の使用を制御することができることである。
【００５３】
第二の効果は、サーバ装置３に登録した携帯電話機１の起動や動作の一部を制限しているので、携帯電話機１の使用を、サーバ装置３の操作者が制御することができることである。
【産業上の利用可能性】
【００５４】
本発明は、同一の機能を有する複数の携帯電話機に対し、異なる機能を実現させるサービスに利用できる。
【図面の簡単な説明】
【００５５】
【図１】本発明の実施形態の携帯電話機のブロック構成図である。
【図２】本発明の実施形態のサーバ装置のブロック構成図である。
【図３】本発明の実施形態の携帯電話サービス提供システムの構成図である。
【図４】制限キー作成端末のブロック構成図である。
【図５】アルゴリズムＡの一例を示す図である。
【図６】アルゴリズムＡの逆操作の一例を示す図である。
【図７】起動・動作制限制御部の処理手順を示すフローチャートである。
【図８】起動・動作制限制御部における制御例を説明するための図である。
【符号の説明】
【００５６】
１  携帯電話機
２  外部メモリ
３  サーバ装置
１０  ＩＭＥＩ保持部
１１  起動・動作制限制御部（制限する手段）
１２  アルゴリズムＡ逆操作実行部（抽出する手段）
１３  ＩＭＥＩ／日時比較部（制限する手段）
１４  日時データ抽出部
２０  制限キー
３０  アルゴリズムＡ実行部（生成する手段）
４０  制限キー作成端末
４１  情報転送部
４２  外部メモリ書込部
４３  通信部
４４  入力部
【図１】
2009201030.tif 000003
【図２】
2009201030.tif 000004
【図３】
2009201030.tif 000005
【図４】
2009201030.tif 000006
【図５】
2009201030.tif 000007
【図６】
2009201030.tif 000008
【図７】
2009201030.tif 000009
【図８】
2009201030.tif 000010